(57)【要約】【課題】端子を取り付けるための取り付け溝を形成する必要がなく、低コスト化及び高剛性化を図ることが可能な集配電リングを提供する。【解決手段】複数相の巻線３２Ｕ，３２Ｖ，３２Ｗに集配電を行う集配電リング４は、複数相の巻線３２Ｕ，３２Ｖ，３２Ｗのそれぞれに電流相ごとに接続される環状の第１乃至第３のバスリング４１〜４３と、第１乃至第３のバスリング４１〜４３を相互に固定する複数の固定部材５とを備え、第１乃至第３のバスリング４１〜４３は、巻線３２Ｕ，３２Ｖ，３２Ｗの端部３２１Ｕ，３２１Ｖ，３２１Ｗと接続するための複数の接続部４１ａ，４２ａ，４３ａを有し、固定部材５は、第１乃至第３のバスリング４１〜４３の周方向に沿って隣り合う一対の接続部４１ａ，４２ａ，４３ａとの間に配置されている。【選択図】図２
2015046958.tif 000002
【特許請求の範囲】
【請求項１】
複数相の巻線に対して集配電を行う集配電リングであって、
前記複数相の巻線のそれぞれに電流相ごとに接続される複数の環状導体と、
前記複数の環状導体を相互に固定する複数の固定部材とを備え、
前記環状導体は、前記巻線の端部に接続される複数の接続部を周方向の複数箇所に有し、
前記複数の固定部材は、前記複数の環状導体の周方向に沿って隣り合う一対の前記接続部の間に配置された、
集配電リング。
【請求項２】
前記固定部材は、前記複数の環状導体のそれぞれの一部を収容する複数の凹部を有し、
前記複数の環状導体は、前記固定部材に保持される被保持部が前記凹部に圧入して挿入された、
請求項１に記載の集配電リング。
【請求項３】
前記固定部材には、前記複数の環状導体を係止して前記環状導体の前記凹部からの抜け出しを防止する係止部が設けられた、
請求項２に記載の集配電リング。
【請求項４】
前記接続部は、Ｕ字状に屈曲して形成されたＵ字部と、前記Ｕ字部の両端と前記被保持部との間に径方向に延在して設けられた延在部と、を一体に有し、
前記Ｕ字部に前記巻線の端部が挿通された状態で、前記環状導体と前記巻線とが電気的に接続された、
請求項１乃至３の何れか１項に記載の集配電リング。
【請求項５】
前記複数の凹部は、前記環状導体の軸方向に沿って並んで形成されて前記環状導体の径方向に開口し、
前記複数の環状導体は、前記接続部が隣り合う一対の前記固定部材の間から前記被保持部の前記凹部への挿入方向に突出している、
請求項１乃至４の何れか１項に記載の集配電リング。
【請求項６】
前記複数の環状導体の周方向に隣り合う一対の前記固定部材の間隔が、一対の前記延在部間の間隔に対応した間隔である、
請求項５に記載の集配電リング。
【発明の詳細な説明】
【技術分野】
【０００１】
本発明は、複数相の巻線に対して集配電を行う集配電リングに関する。
【背景技術】
【０００２】
従来、三相交流モータのＵ相，Ｖ相，Ｗ相の各巻線にモータ電流を供給するための集配電リングが知られている（特許文献１参照）。
【０００３】
特許文献１に記載の集配電リング（集中配電部品）では、Ｕ相，Ｖ相，Ｗ相、及び中性相のそれぞれに対応して環状に形成された４つの環状導体と、これら４つの環状導体を軸方向に沿って配列した状態で相互に固定する複数の保持部材と、各環状導体と巻線とを接続するための複数の中継端子とを有している。
【０００４】
保持部材には、その軸方向の両端部にそれぞれ開口する第１の収容溝及び第２の収容溝が形成され、第１の収容溝に複数の環状導体のうち一部の環状導体が保持され、第２の収容溝に他の一部の環状導体が保持されている。また、保持部材には、中継端子を環状導体に接続するための取り付け溝が形成されている。この取り付け溝の位置は、中継端子が接続される環状導体の軸方向の位置によって異なっている。つまり、この集配電リングでは、取り付け溝の位置が異なる複数種の固定部材及び、中継端子によって各バスリングと巻線とが電気的かつ機械的に接続されている。
【先行技術文献】
【特許文献】
【０００５】
【特許文献１】特許第３９０２２１９号公報
【発明の概要】
【発明が解決しようとする課題】
【０００６】
しかしながら、特許文献１に記載の固定部材では、取り付け溝の位置が異なる複数種類の保持部材を用いるため、保持部材を成形するための金型が複数必要であり、低コスト化が困難であった。また、中継端子を取り付けるための取り付け溝を保持部材に形成するため、環状導体の保持剛性が低くなってしまう場合があった。
【０００７】
そこで、本発明の目的は、端子を取り付けるための取り付け溝を形成する必要がなく、低コスト化及び高剛性化を図ることが可能な集配電リングを提供することにある。
【課題を解決するための手段】
【０００８】
本発明は、上記課題を解決することを目的として、複数相の巻線に対して集配電を行う集配電リングであって、前記複数相の巻線のそれぞれに電流相ごとに接続される複数の環状導体と、前記複数の環状導体を相互に固定する複数の固定部材とを備え、前記複数の環状導体は、前記巻線の端部に接続される複数の接続部を周方向に複数箇所有し、前記固定部材は、前記複数の環状導体の周方向に沿って隣り合う一対の前記接続部の間に配置された集配電リングを提供する。
【発明の効果】
【０００９】
本発明によれば、端子を取り付けるための取り付け溝を形成する必要がなく、低コスト化及び高剛性化を図ることが可能な集配電リングを提供することができる。
【図面の簡単な説明】
【００１０】
【図１】本発明の第１の実施の形態に係る集配電リングを備えた電動機の概略の構成例を説明するために示す模式図である。
【図２】本発明の第１の実施の形態に係る集配電リングの構成例を示す外観図である。
【図３】本発明の第１の実施の形態に係る集配電リングがステータに設置された状態を示す外観図である。
【図４】ステータ及び第１乃至第３のバスリングをその中心軸方向から見た平面図である。
【図５】第１乃至第３のバスリングの斜視図である。
【図６】（ａ）は第１のバスリングの接続部、（ｂ）は第２のバスリングの接続部、図６（ｃ）は第３のバスリングの接続部である。
【図７】（ａ）は固定部材の外観を示す斜視図、（ｂ）は固定部材の側面図、（ｃ）は固定部材の上面図である。
【図８】（ａ）は、固定部材が取り外された状態の集配電リングの一部を軸方向から見た平面図である。（ｂ）は（ａ）に固定部材を取り付けた状態を示した図である。
【図９】本発明の第２の実施の形態に係る固定部材の側面図である。
【図１０】本発明の第３の実施の形態に係る集配電リングの構成例を示す外観図である。
【発明を実施するための形態】
【００１１】
［第１の実施の形態］
（電動機の全体構成）
図１は、本発明の第１の実施の形態に係る集配電リング４の機能を説明するために示す電動機１の概略の模式図である。
【００１２】
この電動機１は、回転子であるロータ２と、固定子であるステータ３と、第１乃至第４のバスリング４１〜４４からなる集配電リング４とを備えている。
【００１３】
ロータ２は、図略の軸受によってステータ３と同軸上で回転可能に支持されたシャフト２１と、シャフト２１の外周面に固定された複数の磁極を有する円筒状の磁石２２とを有している。
【００１４】
ステータ３は、環状に配置された複数のコア３１のそれぞれの外周囲に巻き回された複数相の巻線３２と、後述するインシュレータ３３（図３に示す）とを備えている。本実施の形態では、２４個のコア３１がステータ３の周方向に沿って配置されている。これら２４個のコア３１は、その位置によってＵ相のコア３１Ｕ、Ｖ相のコア３１Ｖ、及びＷ相のコア３１Ｗに分類され、図１に示すロータ２の回転方向Ｒに沿って、Ｕ相のコア３１Ｕの隣にＶ相のコア３１Ｖが、Ｖ相のコア３１Ｖの隣にＷ相のコア３１Ｗが、Ｗ相のコア３１Ｗの隣にＵ相のコア３１Ｕが、それぞれ配置されている。
【００１５】
Ｕ相のコア３１Ｕに巻き回された巻線３２はＵ相の巻線３２Ｕであり、Ｖ相のコア３１Ｖに巻き回された巻線３２はＶ相の巻線３２Ｖであり、Ｗ相のコア３１Ｗに巻き回された巻線３２はＷ相の巻線３２Ｗである。Ｕ相の巻線３２Ｕは、第１のバスリング４１によって集配電（集電及び配電）される。Ｖ相の巻線３２Ｖは、第２のバスリング４２によって集配電される。また、Ｗ相の巻線３２Ｗは、第３のバスリング４３によって集配電される。
【００１６】
Ｕ相の巻線３２Ｕの両端部のうち、一方の端部３２１Ｕは第１のバスリング４１に電気的に接続され、他方の端部３２２Ｕは第４のバスリング４４に電気的に接続されている。Ｖ相の巻線３２Ｖの両端部のうち、一方の端部３２１Ｖは第２のバスリング４２に電気的に接続され、他方の端部３２２Ｖは第４のバスリング４４に電気的に接続されている。また、Ｗ相の巻線３２Ｗの両端部のうち、一方の端部３２１Ｗは第３のバスリング４３に電気的に接続され、他方の端部３２２Ｗは第４のバスリング４４に電気的に接続されている。
【００１７】
第１のバスリング４１は本発明の第１の環状導体の一態様であり、第２のバスリング４２は本発明の第２の環状導体の一態様である。また、第３のバスリング４３は本発明の第３の環状導体の一態様である。第４のバスリング４４は、中性相のバスリングとして機能する。
【００１８】
第１乃至第３のバスリング４１〜４３には、それぞれ給電端子４１０，４２０，４３０が接続され、この給電端子４１０，４２０，４３０を介して図略のインバータから１２０°ずつ位相がずれた正弦波状の駆動電流が供給される。この駆動電流によってステータ３に回転磁界が形成され、磁石２２がこの回転磁界による吸引力及び反発力により回転力を受けてシャフト２１を回転させる。第１乃至第３のバスリング４１〜４３は、後述する固定部材５（図２に示す）によって相互に固定されている。
【００１９】
図２は、第１の実施の形態に係る集配電リング４の外観を示す斜視図である。図３は、集配電リング４がステータ３に取り付けられた状態を示す斜視図である。図４は、図３に示したステータ３及び第１乃至第３のバスリング４１〜４３をその中心軸方向から見た平面図である。図５は、第１乃至第３のバスリング４１〜４３の斜視図である。なお、以下の説明において、第１乃至第３のバスリング４１〜４３の軸方向，径方向，周方向を、単に「軸方向」，「径方向」，「周方向」ということがある。
【００２０】
集配電リング４は、複数相（Ｕ相，Ｖ相，Ｗ相）の巻線３２Ｕ，３２Ｖ，３２Ｗのそれぞれに電流相ごとに接続される第１乃至第３のバスリング４１〜４３と、第１乃至第３のバスリング４１〜４３を相互に固定する複数（本実施の形態では２４個）の固定部材５とを備えている。
【００２１】
第１のバスリング４１は、Ｕ相の巻線３２Ｕの一方の端部３２１Ｕと接続するための接続部４１ａを周方向の複数箇所に有し、隣り合う一対の接続部４１ａの間の被保持部４１ｂが固定部材５に保持されている。第２のバスリング４２は、Ｖ相の巻線３２Ｖの一方の端部３２１Ｖと接続するための接続部４２ａを周方向の複数箇所に有し、隣り合う一対の接続部４２ａの間の被保持部４２ｂが固定部材５に保持されている。第３のバスリング４３は、Ｗ相の巻線３２Ｗの一方の端部３２１Ｗと接続するための接続部４３ａを周方向の複数箇所に有し、隣り合う一対の接続部４３ａの間の被保持部４３ｂが固定部材５に保持されている。
【００２２】
本実施の形態では、第１乃至第３のバスリング４１〜４３がそれぞれ８個の接続部４１ａ，４２ａ，４３ａを等間隔に有している。また、第１乃至第３のバスリング４１〜４３は、軸方向に沿って同心状に並列した状態で、これらの固定部材５に固定されている。固定部材５の構成の詳細については後述する。
【００２３】
ステータ３は、複数の電磁鋼板３１０を積層してなるコア３１にインシュレータ３３を装着し、コア３１の外周にインシュレータ３３を介在させて巻線３２を巻き回した複数のコア組立体３０からなる。本実施の形態では、ステータ３が２４個のコア組立体３０を環状に配置したリング状である。
【００２４】
また、集配電リング４は、巻線３２（３２Ｕ，３２Ｖ，３２Ｗ）よりもステータ３の外周側に配置され、巻線３２の一方の端部３２１Ｕ，３２１Ｖ，３２１Ｗが径方向外側に延出されて第１乃至第３のバスリング４１〜４３の接続部４１ａ，４２ａ，４３ａにそれぞれ接続されている。巻線３２の他方の端部３２２Ｕ，３２２Ｖ，３２２Ｗは、径方向内側に延出されて第４のバスリング４４（図１に示す）に接続される。
【００２５】
（第１乃至第３のバスリング４１〜４３の構成）
図５に示すように、第１乃至第３のバスリング４１〜４３は、銅等の良導電性の金属からなる中心導体（金属導体）４００を樹脂からなる絶縁体４０１で被覆した絶縁電線を屈曲して形成されている。第１乃至第３のバスリング４１〜４３の両端部では、絶縁体４０１から中心導体４００が露出し、この露出した中心導体４００に給電端子４１０，４２０，４３０が圧着又は加締めにより接続されている。
【００２６】
図６（ａ）は、第１のバスリング４１の接続部４１ａ及び被保持部４１ｂを示し、図６（ｂ）は第２のバスリング４２の接続部４２ａ及び被保持部４２ｂを示し、図６（ｃ）は第３のバスリング４３の接続部４３ａ及び被保持部４３ｂを示している。
【００２７】
接続部４１ａは、中心導体４００をＵ字状に屈曲して形成されたＵ字部４１１と、Ｕ字部４１１の両端と被保持部４１ｂとの間に径方向に延在して設けられた一対の延在部４１２とを一体に有している。同様に、接続部４２ａは、中心導体４００をＵ字状に屈曲して形成されたＵ字部４２１と、Ｕ字部４２１の両端と被保持部４２ｂとの間に径方向に延在して設けられた一対の延在部４２２とを一体に有している。また同様に、接続部４３ａは、中心導体４００をＵ字状に屈曲して形成されたＵ字部４３１と、Ｕ字部４３１の両端と被保持部４３ｂとの間に径方向に延在して設けられた一対の延在部４３２とを一体に有している。
【００２８】
このような構成のもと、第１のバスリング４１とＵ相の巻線３２Ｕとは、Ｕ字部４１１に巻線３２Ｕの一方の端部３２１Ｕが挿通された状態で、接続部４１ａにおいて電気的に接続される。同様に、第２及び第３のバスリング４２，４３とＶ相及びＷ相の巻線３２Ｖ，３２Ｗとは、Ｕ字部４２１，４３１に巻線３２Ｖ，３２Ｗの一方の端部３２１Ｖ，３２１Ｗが挿通された状態で、接続部４２ａ，４３ａにおいてそれぞれ電気的に接続される。
【００２９】
第１のバスリング４１のＵ字部４１１は、円弧状の円弧部４１１ａと、円弧部４１１ａを挟んで周方向に対向し、軸方向に延びる一対の軸部４１１ｂ，４１１ｃとからなる。同様に、第２のバスリング４２のＵ字部４２１は、円弧状の円弧部４２１ａと、円弧部４２１ａを挟んで周方向に対向し、軸方向に延びる一対の軸部４２１ｂ，４２１ｃとからなる。また同様に、第３のバスリング４３のＵ字部４３１は、円弧状の円弧部４３１ａと、円弧部４３１ａを挟んで周方向に対向し、軸方向に延びる一対の軸部４３１ｂ，４３１ｃとからなる。
【００３０】
第１のバスリング４１の一対の軸部４１１ｂ，４１１ｃには、その対向部に被保持部４１ｂ及び延在部４１２における中心導体４００の外周面よりも曲率の大きい円弧状の突起４１１ｄ，４１１ｅがそれぞれ形成されている。一対の軸部４１１ｂ，４１１ｃにおける突起４１１ｄ，４１１ｅとは反対側の面は、第１のバスリング４１の周方向に対して直交するように形成された平坦な側面４１１ｆ，４１１ｇとして形成されている。
【００３１】
また、図６（ｂ），（ｃ）に示すように、第２のバスリング４２の一対の軸部４２１ｂ，４２１ｃ及び第３のバスリング４３の一対の軸部４３１ｂ，４３１ｃにも、第１のバスリング４１の一対の軸部４２１ｂ，４２１ｃと同様に、円弧状の突起４２１ｄ，４２１ｅ，４３１ｄ，４３１ｅ、ならびに平坦な側面４２１ｆ，４２１ｇ，４３１ｆ，４３１ｇが形成されている。
【００３２】
第１のバスリング４１のＵ字部４１１における軸部４１１ｂ，４１１ｃの長さは、第２のバスリング４２のＵ字部４２１における軸部４２１ｂ，４２１ｃの長さよりも短く、第３のバスリング４３のＵ字部４３１における軸部４３１ｂ，４３１ｃの長さは、第２のバスリング４２のＵ字部４２１における軸部４２１ｂ，４２１ｃの長さよりも長く形成されている。これにより、第１乃至第３のバスリング４１〜４３の軸方向における位置の違いを吸収し、巻線３２の一方の端部（端部３２１Ｕ，３２１Ｖ，３２１Ｗ）が円弧部４１１ａ，４２１ａ，４３１ａの近傍でＵ字部４１１，４２１，４３１を挿通するように構成されている。
【００３３】
（固定部材５の構成）
図７（ａ）は、固定部材５の外観を示す斜視図、図７（ｂ）は固定部材５の側面図、図７（ｃ）は固定部材５の上面図である。
【００３４】
固定部材５は、第１乃至第３のバスリング４１〜４３の一部を収容可能な第１乃至第３の凹部５００ａ，５００ｂ，５００ｃが形成された本体部５０と、周方向における本体部５０の両端部に形成されたガイド部５１，５２とを有している。
【００３５】
本体部５０は、第１乃至第３のバスリング４１〜４３の被保持部４１ｂ，４２ｂ，４３ｂの周方向における曲率に適合するように周方向に沿って僅かに湾曲している。
【００３６】
本体部５０は、径方向に所定の厚みを有する板状の基部５００と、基部５００から径方向に突出して軸方向に沿って並んで形成された上壁部５０１，第１の中壁部５０２，第２の中壁部５０３，及び下壁部５０４とを有している。上壁部５０１と第１の中壁部５０２との間には第１の凹部５００ａが形成され、第１の中壁部５０２と第２の中壁部５０３との間には第２の凹部５００ｂが形成され、第２の中壁部５０３と下壁部５０４との間には第３の凹部５００ｃが形成されている。
【００３７】
第１乃至第３の凹部５００ａ，５００ｂ，５００ｃは、周方向に沿って延びるように形成され、径方向に向かって開口している。本実施の形態では、第１乃至第３の凹部５００ａ，５００ｂ，５００ｃが径方向内側に向かって窪むように形成され、径方向外側に向かって開口している。また、第１乃至第３の凹部５００ａ，５００ｂ，５００ｃの底面５０ａ，５０ｂ，５０ｃは、第１乃至第３のバスリング４１〜４３（図２参照）の外周面の曲率に適合する円弧状に形成されている。
【００３８】
ガイド部５１，５２は、本体部５０の周方向における両端部に、第１乃至第３の凹部５００ａ，５００ｂ，５００ｃの底面５０ａ，５０ｂ，５０ｃから連続して径方向内側に向かって延びるようにそれぞれ形成されている。一対のガイド部５１，５２は、第１乃至第３の凹部５００ａ，５００ｂ，５００ｃの底面５０ａ，５０ｂ，５０ｃから連続する外表面がなだらかに湾曲し、径方向内側にある巻線３２側（図３に示す）に近づくほど周方向の間隔が広くなっている。
【００３９】
図７（ｂ）に示すように、第１のバスリング４１は、第１の凹部５００ａに被保持部４１ｂが保持されて固定部材５に固定される。第２のバスリング４２は、第２の凹部５００ｂに被保持部４２ｂが保持されて固定部材５に固定される。また、第３のバスリング４３は、第３の凹部５００ｃに被保持部４３ｂが保持されて固定部材５に固定される。
【００４０】
第１の凹部５００ａの開口幅Ｗ１は、第１のバスリング４１の被保持部４１ｂの直径よりも小さい。同様に、第２の凹部５００ｂの開口幅Ｗ２、及び第３の凹部５００ｃの開口幅Ｗ３は、第２及び第３のバスリング４２，４３の被保持部４２ｂ，４３ｂの直径よりも小さい。このため、第１乃至第３のバスリング４１〜４３の被保持部４１ｂ，４２ｂ，４３ｂを軸方向に圧縮変形させて圧入する。
【００４１】
ここで、圧入とは、第１乃至第３のバスリング４１〜４３を第１乃至第３の凹部５００ａ，５００ｂ，５００ｃの底面５０ａ，５０ｂ，５０ｃに向かって押し込むことをいう。より具体的には、第１乃至第３の凹部５００ａ，５００ｂ，５００ｃに押し込まれた第１乃至第３のバスリング４１〜４３が、容易には（例えば第１乃至第３のバスリング４１〜４３の自重によっては）、第１乃至第３の凹部５００ａ，５００ｂ，５００ｃから抜け出さない程度の力で押し込むことをいう。
【００４２】
図３及び４に示すように、第１乃至第３のバスリング４１〜４３には複数の固定部材５が周方向に沿って間隔をあけて取り付けられており、第１乃至第３のバスリング４１〜４３は、一対の延在部４１２，４２２，４３２が第１乃至第３のバスリング４１〜４３の周方向に隣り合う一対の固定部材５の間から被保持部４１ｂ，４２ｂ，４３ｂの第１乃至第３の凹部５００ａ，５００ｂ，５００ｃへの挿入方向に突出して配置されている。
【００４３】
本実施の形態では、第１乃至第３のバスリング４１〜４３の被保持部４１ｂ，４２ｂ，４３ｂが径方向内側に向かって第１乃至第３の凹部５００ａ，５００ｂ，５００ｃに挿入されるので、接続部４１ａ，４２ａ，４３ａは、隣接する一対の固定部材５間の隙間から巻線３２側に向かって内方に突出して配置される。このため、集配電リング４がステータ３に取り付けられることにより、Ｕ字部４１１，４２１，４３１が巻線３２Ｕ，３２Ｖ，３２Ｗの一方の端部３２１Ｕ，３２１Ｖ，３２１Ｗの位置に位置決めされる。
【００４４】
また、周方向に隣り合う一対の固定部材５間の間隔は、第１のバスリング４１の一対の接続部４１ａの周方向の幅、第２のバスリング４２の一対の接続部４２ａの周方向の幅、及び第３のバスリング４３の一対の接続部４３ａの周方向の幅に対応した間隔である。ここで、「対応した間隔」とは、固定部材５によって、第１乃至第３のバスリング４１〜４３を相互に固定することにより、一対の延在部４１２，４２２，４３２と固定部材５のガイド部５１，５２とが当接し、一対の接続部４１ａ，４２ａ，４３ａを周方向に等間隔に配置可能となる寸法関係を有していることをいう。また、これにより、第１乃至第３のバスリング４１〜４３の周方向における相互間の相対移動が規制される。
【００４５】
図８（ａ）は、集配電リング４の一部を軸方向から見た平面図である。本実施の形態では、第１のバスリング４１の一対の延在部４１２の周方向の幅ＷＵ、第２のバスリング４２の一対の延在部４２２の周方向の幅ＷＶ、及び第３のバスリング４３の一対の延在部４３２の周方向の幅ＷＷが同じ幅である。なお、図８（ａ）では、延在部４１２，４２２，４３２の中央部における周方向の幅を幅ＷＵ，ＷＶ，ＷＷとして示している。
【００４６】
図８（ｂ）は、図８（ａ）の状態における第１乃至第３のバスリング４１〜４３に固定部材５を取り付けた状態を示す平面図である。第１乃至第３のバスリング４１〜４３の周方向に隣り合う一対の固定部材５間の間隔（一対の固定部材５のうち、一方の固定部材５におけるガイド部５２と他方の固定部材５におけるガイド部５１との間隔）Ｄは、幅ＷＵ，ＷＶ，ＷＷよりも僅かに大きい。間隔Ｄは、例えば幅ＷＵ，ＷＶ，ＷＷの１．０１以上１．１倍以下である。なお、図８（ｂ）では、図８（ａ）に示す延在部４１２，４２２，４３２の中央部に対向する部分の固定部材５間の間隔を間隔Ｄとして示している。
【００４７】
（第１の実施の形態の作用及び効果）
以上説明した実施の形態によれば、以下のような作用及び効果が得られる。
【００４８】
（１）第１乃至第３のバスリング４１〜４３が接続部４１ａ，４２ａ，４３ａをそれぞれ有しているので、例えば中継端子を取り付けるための取り付け溝を有する保持部材によって第１乃至第３のバスリング４１〜４３を相互に固定する場合に比較して、固定部材５の保持剛性を高めることができ、集配電リング４の高剛性化を図ることが可能である。
【００４９】
（２）第１乃至第３のバスリング４１〜４３は、同一形状からなる１種類の固定部材５によって固定されているので、一組の金型によって固定部材５を成形することができ、かつ部品の種類を低減することもできるため、集配電リング４の製造コストの削減を図ることができる。
【００５０】
（３）第１乃至第３のバスリング４１〜４３の被保持部４１ｂ，４２ｂ，４３ｂは、第１乃至第３の凹部５００ａ，５００ｂ，５００ｃに圧入して挿入されるので、一旦固定した固定部材５が第１乃至第３のバスリング４１〜４３から外れにくく、組み付けが容易となる。
【００５１】
（４）第１乃至第３のバスリング４１〜４３は、それぞれ一本の絶縁電線を屈曲してＵ字部４１１，４２１，４３１、延在部４１２，４２２，４３２及び被保持部４１ｂ，４２ｂ，４３ｂが形成され、Ｕ相，Ｖ相，及びＷ相の巻線３２Ｕ，３２Ｖ，３２Ｗの一方の端部３２１Ｕ，３２１Ｖ，３２１ＷがＵ字部４１１，４２１，４３１に挿通された状態で電気的に接続されるので、例えば接続端子によって第１乃至第３のバスリング４１〜４３とＵ相，Ｖ相，及びＷ相の巻線３２Ｕ，３２Ｖ，３２Ｗとを接続する必要がなく、製造効率を高めて集配電リング４の製造コストを低減することが可能となる。
【００５２】
（５）第１乃至第３のバスリング４１〜４３は、周方向に沿って間隔をあけて固定部材５に固定されているので、周方向に隣り合う一対の固定部材５の間から接続部４１ａ，４２ａ，４３ａを径方向内方に突出させ、巻線３２Ｕ，３２Ｖ，３２Ｗの一方の端部３２１Ｕ，３２１Ｖ，３２１Ｗに容易に接続することが可能となる。
【００５３】
（６）第１乃至第３のバスリング４１〜４３の周方向に隣り合う固定部材５間の間隔は、第１乃至第３のバスリング４１〜４３の一対の延在部４１２，４２２，４３２の周方向の幅に対応した幅であるので、固定部材５によって、第１乃至第３のバスリング４１〜４３を相互に固定することにより、接続部４１ａ，４２ａ，４３ａの間隔が等間隔になる。これにより、集配電リング４をステータ３に組み付ける際に、Ｕ字部４１１，４２１，４３１を巻線３２Ｕ，３２Ｖ，３２Ｗの一方の端部３２１Ｕ，３２１Ｖ，３２１Ｗの位置に位置決めすることが可能となる。
【００５４】
［第２の実施の形態]
次に、本発明の第２の実施の形態について説明する。
【００５５】
図９は、第２の実施の形態に係る固定部材５の側面図である。第２の実施の形態に係る固定部材５は、その形状が第１の実施の形態に係る固定部材５の形状と異なる他は、第１の実施の形態と同様であるので、第１の実施の形態について説明した構成要素と共通する構成要素については、第１の実施の形態で用いた符号と同一の符号を付してその重複した説明を省略する。
【００５６】
第２の実施の形態では、固定部材５の本体部５０に第１乃至第３のバスリング４１〜４３を係止して、第１乃至第３のバスリング４１〜４３の第１乃至第３の凹部５００ａ，５００ｂ，５００ｃからの抜け出しを防止する係止部５０１ａ，５０２ａ，５０３ａが設けられている。
【００５７】
第１のバスリング４１の被保持部４１ｂ（図９に二点鎖線で示す）を固定する第１の凹部５００ａは、上壁部５０１と第１の中壁部５０２との間に形成され、上壁部５０１における先端部から第１の中壁部５０２に向かって突出するように、係止部５０１ａが形成されている。
【００５８】
また、第２のバスリング４２の被保持部４２ｂ（図９に二点鎖線で示す）を固定する第２の凹部５００ｂは、第１の中壁部５０２と第２の中壁部５０３との間に形成され、第１の中壁部５０２における先端部から第２の中壁部５０３に向かって突出するように、係止部５０２ａが形成されている。
【００５９】
またさらに、第３のバスリング４３の被保持部４３ｂ（図９に二点鎖線で示す）を固定する第３の凹部５００ｃは、第２の中壁部５０３と下壁部５０４との間に形成され、第２の中壁部５０３における先端部から下壁部５０４に向かって突出するように、係止部５０３ａが形成されている。
【００６０】
第１の凹部５００ａの開口幅（係止部５０１ａと第１の中壁部５０２との間の距離）ＷＡは、第１のバスリング４１の被保持部４１ｂの直径よりも小さい。同様に、第２の凹部５００ｂの開口幅（係止部５０２ａと第２の中壁部５０３との間の距離）ＷＢ、及び第３の凹部５００ｃの開口幅（係止部５０３ａと下壁部５０４との間の距離）ＷＣは、第２及び第３のバスリング４２，４３の被保持部４２ｂ，４３ｂの直径よりも小さい。このため、第１乃至第３のバスリング４１〜４３を固定部材５の第１乃至第３の凹部５００ａ，５００ｂ，５００ｃに挿入する際は、上壁部５０１，第１の中壁部５０２，及び第２の中壁部５０３を弾性変形させながら圧入する。
【００６１】
本実施の形態によれば、係止部５０１ａ，５０２ａ，５０３ａによって、第１乃至第３の凹部５００ａ，５００ｂ，５００ｃからの第１乃至第３のバスリング４１〜４３の抜け出しが、第１の実施の形態に比較して、より確実に抑制される。
【００６２】
［第３の実施の形態］
次に、本発明の第３の実施の形態について説明する。
【００６３】
図１０は、第３の実施の形態に係る集配電リング４の構成例を示す斜視図である。第３の実施の形態に係る集配電リング４は、その第１乃至第３のバスリング４１〜４３の接続部４１ａ，４２ａ，４３ａの形状が第１の実施の形態に係る接続部４１ａ，４２ａ，４３ａの形状と異なる他は、第１の実施の形態と同様であるので、第１の実施の形態について説明した構成要素と共通する構成要素については、第１の実施の形態で用いた符号と同一の符号を付してその重複した説明を省略する。
【００６４】
第１のバスリング４１の接続部４１ａは、第１のバスリング４１の径方向内側に向かって突出するＵ字部４１１Ａと、延在部４１２とを一体に有している。つまり、第３の実施の形態に係る接続部４１ａは、そのＵ字部４１１Ａの突出方向が第１の実施の形態のＵ字部４１１とは異なっている。
【００６５】
同様に、第２及び第３のバスリング４２，４３の接続部４２ａ，４３ａは、第２及び第３のバスリング４２，４３の径方向内側に向かって突出するＵ字部４２１Ａ，４３１Ａと、延在部４２２，４３２とをそれぞれ一体に有している。
【００６６】
第２のバスリング４２のＵ字部４２１Ａは、その先端部の軸方向の位置が第１のバスリング４１のＵ字部４１１Ａの先端部の位置と同様の位置に配置されるように、軸方向に傾斜している。同様に第３のバスリング４３のＵ字部４３１Ａは、その先端部の軸方向の位置が第１のバスリング４１のＵ字部４１１Ａの先端部の位置と同様の位置に配置されるように、軸方向に傾斜している。
【００６７】
これにより、第１乃至第３のバスリング４１〜４３の軸方向における位置の違いを吸収し、集配電リング４をステータ３に取り付けた際、巻線３２（図３に示す）の一方の端部３２１Ｕ，３２１Ｖ，３２１Ｗ（図３に示す）がＵ字部４１１Ａ，４２１Ａ，４３１Ａを挿通するように構成されている。
【００６８】
以上、説明した第３の実施の形態によれば、第１の実施の形態と同様の作用及び効果を得ることができる。また、Ｕ字部４２１Ａ，４３１Ａの傾斜角を変えることにより第１乃至第３のバスリング４１〜４３を作り分けることができる。
【００６９】
以上、本発明の各実施の形態について説明したが、上記に記載した各実施の形態は特許請求の範囲に係る発明を限定するものではない。また、各実施の形態の中で説明した特徴の組合せの全てが発明の課題を解決するための手段に必須であるとは限らない点に留意すべきである。
【００７０】
例えば、第１乃至第３のバスリング４１〜４３の接続部４１ａ，４２ａ，４３ａは周方向に隣り合う一対の固定部材５の間から径方向の外方に突出させて、第１乃至第３のバスリング４１〜４３の被保持部４１ｂ，４２ｂ，４３ｂを固定部材５の第１乃至第３の凹部５００ａ，５００ｂ，５００ｃに対して径方向の外方に向かって挿入することで、第１乃至第３のバスリング４１〜４３が固定されてもよい。
【００７１】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００７２】
［１］環状に配置された複数のコア（３１）のそれぞれに巻き回された複数相の巻線（３２）に対して集配電を行う集配電リングであって、前記複数相の巻線（３２）のそれぞれに電流相ごとに接続される複数の環状導体（４１〜４３）と、前記複数の環状導体（４１〜４３）を相互に固定する複数の固定部材（５）とを備え、前記環状導体（４１〜４３）は、前記巻線（３２）の端部に接続される複数の接続部（４１ａ，４２ａ，４３ａ）を周方向の複数箇所に有し、前記複数の固定部材（５）は、前記複数の環状導体（４１〜４３）の周方向に沿って隣り合う一対の前記接続部（４１ａ，４２ａ，４３ａ）の間に配置された、集配電リング（４）。
【００７３】
［２］前記固定部材（５）は、前記複数の環状導体（４１〜４３）のそれぞれ一部を収容する複数の凹部（５００ａ，５００ｂ，５００ｃ）を有し、前記複数の環状導体（４１〜４３）は、前記固定部材（５）に保持される被保持部（４１ｂ，４２ｂ，４３ｂ）が前記凹部（５００ａ，５００ｂ，５００ｃ）に圧入して挿入された、前記［１］に記載の集配電リング（４）。
【００７４】
［３］前記固定部材（５）には、前記複数の環状導体（４１〜４３）を係止して前記環状導体（４１〜４３）の前記凹部（５００ａ，５００ｂ，５００ｃ）からの抜け出しを防止する係止部（５０１ａ，５０２ａ，５０３ａ）が設けられた、前記［１］又は［２］に記載の集配電リング（４）。
【００７５】
［４］前記接続部（４１ａ，４２ａ，４３ａ）は、Ｕ字状に屈曲して形成されたＵ字部（４１１，４２１，４３１）と、前記Ｕ字部（４１１，４２１，４３１）の両端と前記固定部材（５）に保持される被保持部（４１ｂ，４２ｂ，４３ｂ）との間に径方向に延在して設けられた延在部（４１２，４２２，４３２）と、を有し、前記Ｕ字部（４１１，４２１，４３１）に前記巻線（３２）の端部が挿通された状態で、前記環状導体（４１〜４３）と前記巻線（３２）とが電気的に接続された、［１］乃至［３］の何れか１項に記載の集配電リング。
【００７６】
［５］前記複数の凹部（５００ａ，５００ｂ，５００ｃ）は、前記環状導体（４１〜４３）の軸方向に沿って並んで形成されて前記環状導体（４１〜４３）の径方向に開口し、前記複数の環状導体（４１〜４３）は、前記接続部（４１ａ，４２ａ，４３ａ）が隣り合う一対の前記固定部材（５）の間から前記被保持部（４１ｂ，４２ｂ，４３ｂ）の前記凹部（５００ａ，５００ｂ，５００ｃ）への挿入方向に突出している前記［１］乃至［４］の何れか１項に記載の集配電リング。
【００７７】
［６］前記複数の環状導体（４１〜４３）の周方向に隣り合う一対の前記固定部材（５）の間隔が、一対の前記延在部（４１２，４２２，４３２）間の間隔に対応した間隔である、前記［５］に記載の集配電リング。
【符号の説明】
【００７８】
１…電動機
４…集配電リング
５…固定部材
３１…コア
３１Ｕ…Ｕ相のコア
３１Ｖ…Ｖ相のコア
３１Ｗ…Ｗ相のコア
３２…巻線
３２Ｕ…Ｕ相の巻線
３２Ｖ…Ｖ相の巻線
３２Ｗ…Ｗ相の巻線
４１…第１のバスリング（第１の環状導体）
４２…第２のバスリング（第２の環状導体）
４３…第３のバスリング（第３の環状導体）
４４…第４のバスリング
４１ａ，４２ａ，４３ａ…接続部
４１ｂ，４２ｂ，４３ｂ…被保持部
３２１Ｕ，３２１Ｖ，３２１Ｗ…一方の端部
３２２Ｕ，３２２Ｖ，３２２Ｗ…他方の端部
４１１，４１１Ａ，４２１，４２１Ａ，４３１，４３１Ａ…Ｕ字部
４１２，４２２，４３２…延在部
５００ａ…第１の凹部
５００ｂ…第２の凹部
５００ｃ…第３の凹部
５０１ａ，５０２ａ，５０３ａ…係止部
【図１】
2015046958.tif 000003
【図２】
2015046958.tif 000004
【図３】
2015046958.tif 000005
【図４】
2015046958.tif 000006
【図５】
2015046958.tif 000007
【図６】
2015046958.tif 000008
【図７】
2015046958.tif 000009
【図８】
2015046958.tif 000010
【図９】
2015046958.tif 000011
【図１０】
2015046958.tif 000012